(57)【要約】      （修正有）【課題】一般家庭や居酒屋等の小規模飲食店にて１台でいろいろな種類および大きさの食材を効率よく加熱することができる加熱調理装置を提供する。【解決手段】被加熱物を回転自在に吊り下げ、その周囲に複数の遠赤外線ヒ−タ−９，９’を設け、その外側に該ヒ−タ−９，９’の輻射熱を反射させる金属板７を設けた竪型加熱調理装置において、複数の遠赤外線ヒ−タ−９，９’がその外側の可撓性を有する金属製の反射板７と一緒に移動自在な構造とし、さらに、各ヒ−タ−９，９’からの被加熱物との距離を調整できるように、被加熱物の吊り下げ位置が移動自在な構造を特徴とする加熱調理装置に係る。【選択図】図１
2013111468.tif 000002
【特許請求の範囲】
【請求項１】
被加熱物を回転自在に吊り下げ、その周囲に複数の遠赤外線ヒ−タ−を設け、その外側に該ヒ−タ−の輻射熱を反射させる金属板を設けた竪型加熱調理装置において、複数の遠赤外線ヒ−タ−がその外側の可撓性を有する金属製の反射板と一緒に移動自在な構造を特徴とする加熱調理装置
【請求項２】
請求項１において、各ヒ−タ−からの被加熱物との距離を調整できるように、被加熱物の吊り下げ位置が移動自在な構造を特徴とする加熱調理装置
【発明の詳細な説明】
【技術分野】
【０００１】本発明は、遠赤外線を周囲から効率的に照射して被加熱物である鶏肉や魚や野菜等の食品を加熱調理する装置の改良に関する。
【背景技術】
【０００２】遠赤外線の加熱利用は昭和４０年代から盛んになり、主として自動車産業に関する塗装乾燥から始まり、加熱処理が短時間で行われることから生産性向上や加熱炉長が短くなることによる省スペ−スの技術として工業界では広く使用され始めた。現在では、熱処理工程の一部門として広く採用されるようになった。【０００３】一方、食材の加熱方法としても、ガスバ−ナ−の高温燃焼ガスで直接、食材を焼くと表面だけが炭化し易くなり、また、燃焼ガスで鍋等を加熱して、その高温表面に食材を接触させて加熱すると、食材の内部にまで熱が伝わるまでに時間が掛かってしまう欠点がある。そこで、遠赤外線を利用すると電磁波の形で直接、食材に吸収され、その表面も内部も短時間で加熱される特徴がある。具体的には鰻のカバ焼きや焼き鳥の加熱方法である。【０００４】しかしながら、調理用加熱装置としては、従来より、特許文献１にみられるように、輻射熱で食品に焦げ目をつけるグリル機能と雰囲気温度と遠赤外線で食品温度を上昇させるオ−ブン機能を併せ持つオ−ブン電子レンジとして二種類のヒ−タ−を天井部分に設け、更に下部にも加熱用のヒ−タ−が設けられたオ−ブンが提案されている。これだけ数種類のヒ−タ−を設けても、被加熱物は下部に静置されており、その大きさが変われば、各ヒ−タ−からの熱の利用効率が最適にはならず、しかもドリップが発生すると下部ヒ−タ−上に落ちる欠点がある。【０００５】また、特許文献２にみられるように、燃焼ガスを左右の壁および天井に流して耐熱金属板製の壁面から放射される輻射熱で被加熱物を加熱する方法が提案されている。しかし、被加熱物は下のトレ−の上に設けられた網にのせて加熱されるので、被加熱物の上面と下面で加熱状態に差が発生してしまう欠点がある。【０００６】そこで、本発明者は、株式会社ドライアップジャパンのインタ−ネットホ−ムページおよび非特許文献１にみられるような、被加熱物を回転自在に吊り下げ、その周囲に複数の遠赤外線ヒ−タ−を設け、その外側に該ヒ−タ−の輻射熱を反射させる金属板を設けた竪型加熱調理装置を開発した。代表的な使用方法として焼芋を製造する装置として販売している。しかし、例えば、ほぼ同じ大きさの芋を専用に焼く装置としてならば問題無いが、被加熱体の大きさが小さくなるとヒータ−と被加熱体との間の距離が長くなり、その間に存在する蒸発した水分からなる極性を有する水蒸気に遠赤外線が吸収され、その結果、加熱に要する時間が長くなる欠点がある。
【先行技術文献】
【特許文献】
【０００７】
【特許文献１】特開平６−２３５５２５
【特許文献２】特開２０００−８３８３４
【非特許文献】
【０００８】
【非特許文献１】宮崎日日新聞  ２０１０年８月２３日地域ニュ−ス  株式会社ドライ  アップ  ジャパン「遠赤照射焼芋機」
【発明の概要】
【発明が解決しようとする課題】
【０００９】一般家庭や居酒屋等の小規模飲食店では、１台でいろいろな種類および大きさの食材を効率よく加熱することが望まれている。従って、本発明の主な目的は、ブロイラ−、魚、ナス、ゴ−ヤ、トウモロコシ、サツマイモ等のいろいろな種類および大きさの食材を効率よく加熱することができる加熱調理装置を提供することにある。
【課題を解決するための手段】
【００１０】本発明者は、従来技術の問題点に鑑みて鋭意研究を重ねた結果、ヒータ−の位置および吊り下げ部の位置を調整することにより上記目的を達成できることを見出し、本発明を完成するに至った。【００１１】すなわち、本発明は、被加熱物を回転自在に吊り下げ、その周囲に複数の遠赤外線ヒ−タ−を設け、その外側に該ヒ−タ−の輻射熱を反射させる金属板を設けた竪型加熱調理装置において、複数の遠赤外線ヒ−タ−がその外側の可撓性を有する金属製の反射板と一緒に移動自在な構造を特徴とする加熱調理装置を提供するものである。【００１２】さらに、各ヒ−タ−からの被加熱物との距離を調整できるように、被加熱物の吊り下げ位置が移動自在な構造を特徴とする加熱調理装置を提供するものである。
【発明の効果】
【００１３】本発明によれば、一般家庭や居酒屋等の小規模飲食店で、１台で色々な食材の大きさに応じて、遠赤外線ヒ−タ−の位置とその食材の吊り下げ位置を調整することにより、最も加熱効率が良く、短時間で加熱できる調理装置を提供することができる。【００１４】さらに、本発明の加熱方式によれば、被加熱物を非接触の状態で加熱するので、従来の石焼き芋のように表面が焦げて、そこから水分が蒸発してしまうことも無く、内部の水分が残った状態で焼ける。その結果、ジュ−シ−な料理を提供することが可能となる。【００１５】また、例えば魚のように加熱中にドリップが発生しても、装置の底には油受けを設けるか、または外部に抜くことができるので、ドリップが燃えて煙が出るようなことは無く被加熱物が煙臭くならないし、また装置が汚れ難い。
【図面の簡単な説明】
【００１６】
【図１】本発明の実施形態に係る加熱調理装置の概略平面断面図である。
【図２】本発明の実施形態に係る加熱調理装置の概略Ａ−Ａ矢視側面断面図である。
【発明を実施するための形態】
【００１７】次に、図面を参照して第一の発明の実施の形態を説明する。図１は、本発明に係る加熱調理装置の一例の平面断面の概略図である。本体１は周囲の壁の中に断熱材２を設け、天井３には図示されていないが内部で発生した蒸気を逃がす複数の孔が設けられている。
【００１８】図２は図１のＡ−Ａ矢視の補助線で切断された概略側面図である。吊り具４は天井３の上に設置されたスライド可能な吊り具用駆動装置５により自転し、その吊り具に被加熱物６が吊り下げられながら自転する。
【００１９】その被加熱物の周囲には、金属製の輻射熱反射板７が設けられ、その内側には遠赤外線ヒ−タ−９及び９’が複数本設けられ、ヒータ−９は固定されているが、ヒータ−９’は反射板７と一緒に移動できる。
【００２０】該反射板７は薄い金属製で、その内側面には複数の折り目８が加工され、可撓性がある。該反射板７の端は本体の前面側に設けられたストッパ−１０に差し込まれており、容易に抜き差しできる。被加熱物を吊り具に吊るす場合は、反射板の端をＰ１の位置に差し込み、吊るし終わったら反射板の端を抜いて、Ｐ２及びＰ３のような、被加熱物が遠赤外線ヒ−タ−９’により効率的な加熱ができる位置に差し込む。
【００２１】本体の前面には扉１１が設けられ、内部の様子が観察できるように透明な耐熱ガラス１２が組み込まれている。運転中は、扉１１が閉じられた状態で被加熱体６が自転しながら複数の遠赤外線ヒータ−９及び９’により加熱され、内部で発生した蒸気は天井３に開けられた孔から抜け、ドリップが発生すればドリップ排出孔１３から外部に取り出される。
【００２２】遠赤外線ヒ−タ−は３本に限定されるものではなく、４本以上設けられても良い。
【００２３】次に、第二の発明の実施の形態を説明する。被加熱物の大きさに従ってそれを吊るす吊り具の位置を調整する。すなわち被加熱物６が大きな場合は、反射板７の端はストッパ−のＰ２の位置に差し込まれ、被加熱物が６’が小さな場合は、反射板７の端はストッパ−のＰ３の位置に差し込まれ、さらに該被加熱物６及び６’とヒ−タ−９及び９’の距離が概略等しくなるように吊り具４および４’は距離Ｌだけ吊り具用駆動装置５および５’と一緒にスライドし固定する。このように調整することにより、色々な大きさの被加熱物を効率よく加熱することが可能となる。
【実施例】
【００２４】  以下に実施例を示し、本発明の特徴をより具体的に説明する。ただし、本発明の範囲は、実施例に限定されない。
【実施例１】
【００２５】内のり寸法が、幅３５０ｍｍ、奥行き３００ｍｍ、高さ４６０ｍｍの大きさの加熱調理装置本体１に、１００Ｖ５００Ｗの遠赤外線ヒ−タ−９及び９’を３本設け、その内の１本のヒータ−９は固定し、残りの２本のヒ−タ−９’を複数の折り目を表面に加工したステンレス薄板製の輻射熱反射板７の内側に取り付けて、被加熱物６として吊り具４に吊り下げられたブロイラ−と、各３本のヒータ−９及び９’との間の距離が、概略等しくなるように反射板７の端をストッパ−１０のＰ２位置に差し込み、扉１１を閉めて、ヒータ−出力８０％で加熱した結果、５０分間で焼きあがった。なお、該ブロイラ−の最大直径は約２１０ｍｍあった。
【実施例２】
【００２６】実施例１の装置を使って、ブロイラ−の代わりに、そのまま最大直径約６０ｍｍのサツマイモを加熱した結果、大きさがかなり小さいにも拘わらず、焼きあがるのに、同じく５０分間も掛かった。そこで、サツマイモと、各３本のヒータ−９及び９’との間の距離が、概略等しくなるように反射板７の端をストッパ−１０のＰ３位置に差し込み、吊り具４’を吊り具用駆動装置５’と一緒に吊り下げ位置を約３５ｍｍスライドして固定した後、扉１１を閉めて、ヒータ−出力８０％で加熱した結果、３０分間で焼きあがった。
【産業上の利用可能性】
【００２７】本発明は、一般家庭や居酒屋等の小規模飲食店にて１台でいろいろな種類および大きさの食材、例えばブロイヤ−、魚、ナス、ゴ−ヤ、トウモロコシ、サツマイモ等を効率よく加熱することができる加熱調理装置に関するものである。
【符号の説明】１  本体
４、４’  吊り具
５、５’  吊り具用駆動装置
６、６’  被加熱物
７  輻射熱反射板
８  折り目
９、９’  遠赤外線ヒ−タ−
１０  反射板端ストッパ−
１１  扉
【図１】
2013111468.tif 000003
【図２】
2013111468.tif 000004